(57)【要約】【課題】コネクタ用の蓋の取付構造においてコネクタ用の蓋が開かれてストラップが引っ張られた場合に、ストラップに接続されたアンカ部への応力集中を分散させること。【解決手段】本発明は、外装に設けられた開口を表面側から塞ぐコネクタ用の蓋の取付構造であって、蓋には脱落を防止するためのストラップの一端が係止され、ストラップの他端には外装に取り付けられたアンカ部が設けられ、外装の裏面側には内側に向かって突出するように形成された突出部が設けられ、ストラップは、蓋から突出部の下端部を超えてアンカ部まで延在すると共に、前記アンカ部に接続されている。本発明はこのような構成により、突出部は、蓋が開けられてストラップが引っ張られた場合にアンカ部と開口との間で前記ストラップを緊張させるように突出部の先端でストラップを支持し、アンカ部に掛かる引張力を突出部に分散し、アンカ部の脱落や破損を防止することができる。【選択図】図１
2016046225.tif 000002
【特許請求の範囲】
【請求項１】
外装に設けられた開口を表面側から塞ぐコネクタ用の蓋の取付構造であって、
前記蓋には脱落を防止するためのストラップの一端が係止され、
前記ストラップの他端には外装に取り付けられたアンカ部が設けられ、
前記外装の裏面側には内側に向かって突出するように形成された突出部が設けられ、
前記ストラップは、前記蓋から前記突出部の下端部を超えて前記アンカ部まで延在すると共に、前記アンカ部に接続されている、
コネクタ用の蓋の取付構造。
【発明の詳細な説明】
【技術分野】
【０００１】
本発明は、外装に設けられた開口を塞ぐコネクタ用の蓋の取付構造に関するものである。
【背景技術】
【０００２】
充電や通信のために接続されるコネクタ用の端子は、防水および防塵のために蓋で覆われている。この蓋の取付構造について関連する技術として、特許文献１に記載されているものがある。特許文献１には、携帯機器の接続端子用に設けられた開閉機構を有するカバー（蓋）が記載されている。このカバーの一端には、可撓性を有する係止部（ストラップ）の一端が接続されている。係止部の他端には、凸部（アンカ部）が接続されている。携帯機器の筐体の内壁には凸部が摺動自在に係合するためのガイドが筐体の奥手に向かって設けられており、このガイドによってカバーが閉じられている状態では係止部は、曲がった状態になっている。カバーを開けた場合、係止部の曲がりが解放され、その状態でカバーを筐体内へ押し込むと、凸部がガイドによって筐体内方向に摺動し、係止部が筐体内に格納されてカバーが開いた状態で保持される。
【先行技術文献】
【特許文献】
【０００３】
【特許文献１】特開２００３−３３３１４５号公報
【発明の概要】
【発明が解決しようとする課題】
【０００４】
しかし、このカバーを開く場合に、カバーが引っ張られると凸部に引張力が集中し、凸部が変形または破損してカバーが筐体より脱落する場合がある。
【０００５】
本発明は、コネクタ用の蓋が開かれてストラップが引っ張られた場合に、ストラップとアンカ部とを接続した部分への応力集中を分散させることができるコネクタ用の蓋の取付構造を提供することを目的とする。
【課題を解決するための手段】
【０００６】
本発明は、外装に設けられた開口を表面側から塞ぐコネクタ用の蓋の取付構造であって、前記蓋には脱落を防止するためのストラップの一端が係止され、前記ストラップの他端には外装に取り付けられたアンカ部が設けられ、前記外装の裏面側には内側に向かって突出するように形成された突出部が設けられ、前記ストラップは、前記蓋から前記突出部の下端部を超えて前記アンカ部まで延在すると共に、前記アンカ部に接続されている。
【０００７】
本発明はこのような構成により、突出部は、蓋が開けられてストラップが引っ張られた場合に、アンカ部と開口との間でストラップを緊張させるように突出部の下端部にストラップを当接し、ストラップとアンカ部とを接続した部分への応力集中を分散させることができる。しかも、アンカ部に伝達する力を低減させることができ、アンカ部の脱落や破損を防止することができる。
【発明の効果】
【０００８】
本発明によると、コネクタ用の蓋の取付構造においてコネクタ用の蓋が開かれてストラップが引っ張られた場合に、ストラップに接続されたアンカ部への応力集中を分散させることができる。
【図面の簡単な説明】
【０００９】
【図１】本発明の第１実施形態にかかるコネクタ用の蓋の取付構造を示した断面図である。
【図２】ストラップが引っ張られた状態において、突出部がストラップを支持する状態を示す断面図である。
【図３】本発明の第２実施形態にかかるコネクタ用の蓋の取付構造を示した断面図である。
【図４】本発明の第３実施形態にかかるコネクタ用の蓋の取付構造を示した断面図である。
【図５】本発明の第４実施形態にかかるコネクタ用の蓋の取付構造を示した断面図である。
【図６】本発明の比較例を示した断面図である。
【図７】比較例においてストラップが引っ張られた状態を示す断面図である。
【発明を実施するための形態】
【００１０】
以下、図面を参照して本発明にかかるコネクタ用の蓋の取付構造の実施形態について説明する。
【００１１】
［第１実施形態］
図１に示されるように、充電のためのコネクタ用の蓋２の取付構造１は、外装６に設けられた開口７を塞ぐ蓋２の脱落を防止するためのものである。取付構造１は、外装６に設けられた開口７を塞ぐ蓋２と、先端３ａが蓋２に接続されたストラップ３と、ストラップ３の基端３ｂに接続されたアンカ部４と、アンカ部４を取付るために外装６の裏面６ｂに形成された突出部５と、を有する。蓋２と、ストラップ３と、アンカ部４とは可撓性材料（軟質樹脂）で一体成形されている。
【００１２】
車両（例えば倒立二輪車両）の外装６は、樹脂（例えばＡＢＳ樹脂）で一体成形されている。外装６の裏面６ｂ側には突出するようにリブ状の突出部５が形成されている。突出部５の下端部５ａは面取りされている。面取りは、Ｒ面取り又はＣ面取りが用いられる。下端部（先端部）５ａと基端５ｂとの間には、円形の差込穴５ｃが形成されている。差込穴５ｃには、裏面５ｅ側から表面５ｄ側に向かってアンカ部４が嵌められている。アンカ部４の円柱状の首部４ｃは、先端には矢尻状のヘッド部４ａが一体成形されている。首部４ｃの外径は、突出部５の差込穴５ｃの内径よりやや小さく形成されている。ヘッド部４ａの最大径は、差込穴５ｃの内径より大きく形成されている。
【００１３】
これにより、アンカ部４を突出部５の裏面５ｅ側から表面５ｄ側に向かって押し込むと、ヘッド部４ａが差込穴５ｃの内径に合うように変形しながら差込穴５ｃに入り、通過するとヘッド部４ａが元の状態に復元して首部４ｃが差込穴５ｃを貫通する。首部４ｃの基端４ｄ側には、フランジ４ｂが形成されており、ヘッド部４ａとフランジ４ｂとで突出部５が挟まれるため、アンカ部４が差込穴５ｃから脱落することが防止される。アンカ部４の基端４ｄには、ストラップ３の基端３ｂが接続されている。
【００１４】
ストラップ３は、蓋２の脱落を防止するためにアンカ部４と蓋２とを繋ぐ帯である。ストラップ３の断面は、幅広く成形してもよい。ストラップ３は、側面から見てコの字型に形成されるよう折曲部３ｄ，３ｃを有している。即ち、ストラップ３は、基端３ｂから下方に延在する第１の接続片３Ａと、折曲部３ｄで折り曲げられて突出部５の下端部５ａを超えるように水平方向に延在する第２の接続片３Ｂと、さらに折曲部３ｃで折り曲げられて上方に延在している第３の接続片３Ｃとを有する。そして、第３の接続片３Ｃは、先端３ａが外装６の裏面６ｂまで到達している。突出部５の近傍には、給電用のコネクタ端子（不図示）にアクセス可能な円形の開口７が設けられている。この開口７には、円環状の蓋本体２ｂが嵌められている。
【００１５】
蓋本体２ｂの周面の下端には、ストラップ３の先端３ａが固定されている。蓋本体２ｂの外径は、開口７の内径よりやや小さくなるように形成されている。蓋本体２ｂの上端には、開口７の内径より大きな外径を有するフランジ状のストッパ２ａが設けられている。つまり、ストッパ２ａによって開口７が塞がれている。また、ストッパ２ａによって、蓋２が開口７から外装６の内部へ落下することを防止している。そして、ストッパ２ａとストラップ３の先端３ａとで挟まれた被差込部Ｓに開口７の周縁の一部６ｃが差し込まれ、蓋２が外装６に固定される。
【００１６】
図２に示されるように、蓋２が開けられてストラップ３が引き出された場合は、蓋２によって第３の接続片３Ｃに引張力が生じる。そして、折曲部３ｃ，３ｄが鈍角に開いて、第２の接続片３Ｂが上方に反り返る。第１の接続片３Ａは、Ｕ字状に撓み、その内側の一部が突出部５の下端部５ａに当接する。この状態で、ストラップ３が突出部５によって動きが規制される。そして、ストラップ３の基端３ｂには、下方向に引張力が加わる。
【００１７】
そのため、アンカ部４に加えられる力は下方向となり、アンカ部４が突出部５の差込穴５ｃから抜ける方向には力が加わらない。蓋２が引っ張られた状態では、ストラップ３が緊張し、蓋２およびストラップ３は突出部５の下端部５ａを中心に回動する。しかし、この回動があってもアンカ部４に加わる力の方向は、ほぼ鉛直下方向で一定である。
【００１８】
図６には、比較例として、蓋２の取付構造１０が示されている。以下、説明において蓋２の取付構造１と同一の部分は同一の符号を用い、同様の機能を有する部分の説明は省略する。蓋２の取付構造１０では、アンカ部４が突出部５の表面５ｄから裏面５ｅの方向に向かって、差込穴５ｃを貫通している。これにより、ストラップ８は、突出部５を超えることなく、開口７側に折り畳まれている。
【００１９】
図７に示されるように、蓋２が開かれて、ストラップ８が引っ張られた場合に、ストラップ８の基端８ｂにストラップ８の引張力が直接に掛かる。即ち、ストラップ８の基端８ｂは、第１の接続片８Ａに引っ張られる。第１の接続片８Ａが上方に引っ張られるため、アンカ部４が差込穴５ｃ周りに半回転する。その後、ストラップ８が裏返しになる。この状態で、折曲部８ｄ，８ｃは鈍角に広がり、第１の接続片８Ａと第２の接続片８Ｂとは下方向に撓む。
【００２０】
ストラップ８の裏返しに伴って蓋２も裏返しになる。この状態で蓋２を閉じようとすると、ストラップ８の折曲部８ｃ，８ｄが上方に向いているため、ストラップ８を折曲げて外装６の内部に収納する際に、アンカ部４を半回転させて戻さなければならず、手間がかかる。また、基端８ｂにストラップ８の引張力が直接に掛かることで、アンカ部４のヘッド部４ａが破損したり、アンカ部４が突出部５から脱落したりする可能性がある。
【００２１】
これに対して、蓋２の取付構造１は、突出部５の下端部５ａにストラップ３が当接して、下端部５ａでストラップ３の引張力を分散し、アンカ部４の基端４ｄにかかる力の方向を変え、アンカ部４が突出部５から抜けにくくなっている。
【００２２】
上述したように蓋２の取付構造１によると、ストラップ３が突出部５を超えるようにアンカ部４が固定されているため、蓋２が開けられてストラップ３が引っ張られた場合に、突出部５の下端部５ａがストラップ３の途中を支持してストラップ３に加わる引張力を突出部５に分散させる。これにより、アンカ部４に加わる力を低減させつつ加わる力の方向を変えるため、アンカ部４の脱落や破損を防止することができる。
【００２３】
次に、蓋２の取付構造１の動作を簡単に説明する。
【００２４】
図１及び図２に示されるように、蓋２が閉じられた状態から、蓋２が開けられる。蓋２の上昇に従ってストラップ３に引張力が加えられ、折曲部３ｃ，３ｄが鈍角に開く。蓋２がさらに上昇すると、第２の接続片３Ｂが上方に反り返る。第１の接続片３Ａは、Ｕ字状に撓み、その内側の一部が突出部５の下端部５ａに当接する。これにより、蓋２の移動が制限される。即ち、蓋２は、下端部５ａを中心に回動する動きに制限される。このとき、第１の接続片３Ａの一部が突出部５の下端部５ａによって支持されているため、アンカ部４の基端４ｄに加えられる力は突出部５によって低減される。そして、蓋２が回動してもアンカ部４に加えられる力の方向はほぼ鉛直下方向に一定となり、アンカ部４が突出部５より抜けにくくなる。
【００２５】
以下、その他の実施形態について説明する。以下の説明では第１実施形態と同一の部分は同一の記号を用い、同様の機能を有する部分の説明は適宜省略する。
【００２６】
［第２実施形態］
図３に示されるように、蓋２の取付構造１１において、ストラップ９の第２の接続片９Ｂは、Ｕ字状に成形されていてもよい。これにより、ストラップ９が引っ張られた場合に、折曲部９ｃ，９ｄに加わる応力が第１実施形態の折曲部３ｃ，３ｄに加わる応力よりも小さくなる。
【００２７】
［第３実施形態］
図４に示されるように、蓋２の取付構造１２において、アンカ部２４は、外装６の裏面６ｂ側に固定されていてもよい。アンカ部２４は、円柱状に形成されており、突出部２５に設けられた段差２５ｃおよび外装６の裏面から内側に向かって突出する固定片２５ｄと外装６の裏面６ｂとによって挟まれて固定される。アンカ部２４は、例えば紙面に向かって垂直方向から嵌め込まれる。これにより、アンカ部２４は、第１実施形態のアンカ部４よりも取り付けが容易にできる。
【００２８】
［第４実施形態］
図５に示されるように、蓋２の取付構造１３において、逆Ｃ字状のアンカ部３４をフック部３６に巻付けるようにしてストラップ３９を固定してもよい。アンカ部３４の先端に設けられたヘッド部３４ａは、フック部３６と、外装６の裏面６ｂ側から突出した押さえ片３７との協働によって抜けが防止されている。アンカ部３４は、例えば紙面に向かって垂直方向から嵌め込まれる。ストラップ３９を固定するために、アンカ部３４を巻き付けるように外装６に取り付けられているため、ストラップ３９が引っ張られた場合に、フック部３６に引張力がさらに低減され、アンカ部３４に加わるが第１実施形態に比べて小さくなる。
【符号の説明】
【００２９】
１…取付構造  ２…蓋  ２ａ…ストッパ  ２ｂ…蓋本体  ３…ストラップ  ３ａ…先端  ３ｂ…基端  ３ｃ，３ｄ…折曲部  ３Ａ…第１の接続片  ３Ｂ…第２の接続片  ３Ｃ…第３の接続片  ４…アンカ部  ４ａ…ヘッド部  ４ｂ…フランジ  ４ｃ…首部  ４ｄ…基端  ５…突出部  ５ａ…下端部（先端部）  ５ｂ…基端  ５ｃ…差込穴  ５ｄ…表面  ５ｅ…裏面  ６…外装  ６ｂ…裏面  ６ｃ…周縁の一部  ７…開口  ８…ストラップ  ８ｂ…基端  ８ｃ，８ｄ…折曲部  ８Ａ…第１の接続片  ８Ｂ…第２の接続片  ９…ストラップ  ９ｃ，９ｄ…折曲部  ９Ｂ…第２の接続片  １０…取付構造  １１…取付構造  １２…取付構造  １３…取付構造  ２４…アンカ部  ２５…突出部  ２５ｃ…段差  ２５ｄ…固定片  ３４…アンカ部  ３４ａ…ヘッド部  ３６…フック部  ３７…押さえ片  ３９…ストラップ  Ｓ…被差込部
【図１】
2016046225.tif 000003
【図２】
2016046225.tif 000004
【図３】
2016046225.tif 000005
【図４】
2016046225.tif 000006
【図５】
2016046225.tif 000007
【図６】
2016046225.tif 000008
【図７】
2016046225.tif 000009